(57)【特許請求の範囲】
【請求項１】
躯体開口部を戸尻側の躯体に沿って開閉する引き戸式のドア体と、開口部上方の躯体に固定され、ドア体の上端部を移動自在に吊持するレールが設けられる上枠材と、開口部下方の躯体に固定され、ドア体の下端部を振れ止め状に支持する下枠材とを備えてなる引き戸式ドア装置において、戸尻側躯体の屋内外方向一方に設けられ、戸尻側の躯体とともにドア体の戸袋を構成する防護パネルを、防護パネルと躯体側部材とのあいだに設けたロック手段のロック状態で戸袋姿勢に保持され、ロック解除状態で戸袋を開放する開放姿勢に変姿するよう構成するにあたり、防護パネルを上下一対のロック手段でロックする構成とする一方、防護パネルの上方に上枠材の屋内外方向一方を所定間隙を存して覆うカバー体を設けて、防護パネル上端部に設けられる上側ロック手段のロックピンを係脱する上側ピン受け体はカバー体に、防護パネル下端部に設けられる下側ロック手段のロックピンを係脱する下側ピン受け体は下枠材にそれぞれ設ける構成としたことを特徴とする引き戸式ドア装置。
【請求項２】
防護パネルの上方に配されるカバー体は、上枠材に支持される第一垂直片部と、防護パネルの屋内外方向一方側の面と面一状となる第二垂直片部とを備え、第一、第二垂直片部の上下方向中間部から互いに近接する方向に延出し、あいだに隙間が形成される第一、第二水平片部とを備えて構成されるものとし、上側ピン受け体は、第一、第二水平片部の下面に当てがわれる取付け片を第一、第二水平片部の上面にあてがわれる固定プレートに対し、第一、第二水平片部とのあいだの隙間において螺着することによりカバー体に固定されていることを特徴とする請求項１に記載の引き戸式ドア装置。
【請求項３】
防護パネルの下方に配される下側ピン受け体は、基端部が下枠材に固定され先端部が防護パネル側に突出し、ロックピンが挿抜自在に貫通する貫通孔が開設されたプレート体であることを特徴とする請求項１または２に記載の引き戸式ドア装置。
【請求項４】
防護パネルは、躯体に枢支連結された開き戸式に構成されていることを特徴とする請求項１乃至３の何れか１項に記載の引き戸式ドア装置。
【請求項５】
防護パネルは、絵や文字を表示する表示装置に構成されていることを特徴とする請求項１乃至４の何れか１項に記載の引き戸式ドア装置。
【発明の詳細な説明】
【技術分野】
【０００１】
本発明は、商店や公共施設等の建築物の出入り口部等に設けられる引き戸式ドア装置の技術分野に関するものである。
【背景技術】
【０００２】
一般に、引き戸式ドア装置のなかには、開口部上方の躯体にレールが設けられた上枠材を固定する一方、開口部下方の躯体（床部）に下枠材を固定し、ドア体の上端部をレールに移動自在に吊持するとともに、ドア体の下端部を下枠材に振れ止め状に支持させ、ドア体が振れ止めされた状態でスライド移動して開口部を開閉するように構成したものがある。このものにおいて、ドア体は、開口部を構成する戸尻側躯体の屋内外方向一方（例えば屋内側）に沿って開閉作動するが、該開閉作動の過程で、ドア体の屋内外方向一方においてドア体の戸尻側部位が人や物体に当接することが想定される。そこで、戸尻側躯体の屋内外方向一方に対向して防護パネルを設けて、戸尻側躯体と防護パネルとの対向間にドア体の戸袋を形成するようにしたものが知られている。そして、このものにおいて、戸袋内の清掃やメンテナンス作業を容易に行なえるようにするために、防護パネルを、戸袋を構成する戸袋姿勢から戸袋内を開放する開放姿勢に変姿可能な構成としたものがあるが、このものでは、通常の使用状態において防護パネルを戸袋姿勢にロックする必要があり、該ロック手段として、防護パネルと躯体側部材とのあいだにフランス落しを設ける構成としたものが提唱されている。
【先行技術文献】
【特許文献】
【０００３】
【特許文献１】特開２０１０−１１６７７０号公報
【発明の概要】
【発明が解決しようとする課題】
【０００４】
しかしながら、前記従来のものは、防護パネルの戸先側の下端部に設けたフランス落しのロックピンを、開口部下方の躯体である床部に凹設した凹溝状のピン受け体に係脱することで、フランス落しのロック−ロック解除がなされるように構成している。このため、防護パネルを設ける際には、躯体（床部）を凹設する工事が必要となって、面倒、かつ、煩雑な作業が強いられるばかりでなく、ピン受け体にゴミが溜るという不具合が発生するという問題がある。そのうえ、前記従来のものでは、フランス落しを防護パネル下端部と床部とのあいだに設ける構成であるので、防護パネルをドア体と同様に上吊り式の引き戸体とした場合では、防護パネルの上端部が上側レールに吊持保持されているため、下端部のフランス落しのみで戸袋姿勢を安定した状態で戸袋姿勢に保持することができるが、防護パネルを戸尻側端部が枢支される開き戸とした場合では、防護パネルの上端部を支持するものがなく、不安定になることが想定されて問題があり、これらに本発明の解決すべき課題がある。
【課題を解決するための手段】
【０００５】
本発明は、上記の如き実情に鑑みこれらの課題を解決することを目的として創作されたものであって、請求項１の発明は、躯体開口部を戸尻側の躯体に沿って開閉する引き戸式のドア体と、開口部上方の躯体に固定され、ドア体の上端部を移動自在に吊持するレールが設けられる上枠材と、開口部下方の躯体に固定され、ドア体の下端部を振れ止め状に支持する下枠材とを備えてなる引き戸式ドア装置において、戸尻側躯体の屋内外方向一方に設けられ、戸尻側の躯体とともにドア体の戸袋を構成する防護パネルを、防護パネルと躯体側部材とのあいだに設けたロック手段のロック状態で戸袋姿勢に保持され、ロック解除状態で戸袋を開放する開放姿勢に変姿するよう構成するにあたり、防護パネルを上下一対のロック手段でロックする構成とする一方、防護パネルの上方に上枠材の屋内外方向一方を所定間隙を存して覆うカバー体を設けて、防護パネル上端部に設けられる上側ロック手段のロックピンを係脱する上側ピン受け体はカバー体に、防護パネル下端部に設けられる下側ロック手段のロックピンを係脱する下側ピン受け体は下枠材にそれぞれ設ける構成としたことを特徴とする引き戸式ドア装置である。
請求項２の発明において、防護パネルの上方に配されるカバー体は、上枠材に支持される第一垂直片部と、防護パネルの屋内外方向一方側の面と面一状となる第二垂直片部とを備え、第一、第二垂直片部の上下方向中間部から互いに近接する方向に延出し、あいだに隙間が形成される第一、第二水平片部とを備えて構成されるものとし、上側ピン受け体は、第一、第二水平片部の下面に当てがわれる取付け片を第一、第二水平片部の上面にあてがわれる固定プレートに対し、第一、第二水平片部とのあいだの隙間において螺着することによりカバー体に固定されていることを特徴とする請求項１に記載の引き戸式ドア装置である。
請求項３の発明において、防護パネルの下方に配される下側ピン受け体は、基端部が下枠材に固定され先端部が防護パネル側に突出し、ロックピンが挿抜自在に貫通する貫通孔が開設されたプレート体であることを特徴とする請求項１または２に記載の引き戸式ドア装置である。
請求項４の発明において、防護パネルは、躯体に枢支連結された開き戸式に構成されていることを特徴とする請求項１乃至３の何れか１項に記載の引き戸式ドア装置である。
請求項５の発明において、防護パネルは、絵や文字を表示する表示装置に構成されていることを特徴とする請求項１乃至４の何れか１項に記載の引き戸式ドア装置である。
【発明の効果】
【０００６】
請求項１の発明とすることにより、防護パネルを安定した戸袋姿勢にロックするものでありながら、上、下側ピン受け体をドア体を設けるために必要な上、下枠材に設けて、躯体側工事を不要にすることができる。
請求項２の発明とすることにより、上側ピン受け体を、容易に位置調整することができるうえ、固定用の螺子をカバー体に直接螺着することなくカバー体に固定することができる。
請求項３の発明とすることにより、構成が簡略であるばかりでなく、下枠材への取付け作業が容易で作業性の改善が図れる。
請求項４の発明とすることにより、防護パネルの戸袋姿勢を安定した状態で保持することができる。
請求項５の発明とすることにより、防護パネルを表示装置として兼用することができる。
【図面の簡単な説明】
【０００７】
【図１】引き戸式ドア装置の正面図である。
【図２】引き戸式ドア装置の一部を切欠いた平面断面図である。
【図３】引き戸式ドア装置の一部を切欠いた戸尻側部位を説明する側面断面図である。
【図４】図４（Ａ）、（Ｂ）はそれぞれ引き戸式ドア装置の上部戸先側部位を説明する側面断面図、下部戸先側部位を説明する側面断面図である。
【図５】図５（Ａ）は図４（Ａ）のＸ−Ｘ断面図、図５（Ｂ）は図４（Ｂ）のＸ−Ｘ断面図である。
【図６】第二の実施の形態における引き戸式ドア装置の上部の側面断面図である。
【図７】第二の実施の形態における上側ピン受け体のカバー体への取付け状態を説明する斜視図である。
【発明を実施するための形態】
【０００８】
以下、本発明の第一の実施の形態について、図面に基づいて説明する。
図面において、１は建築物の出入り口部に設けられる引き戸式ドア装置であって、該引き戸式ドア装置１を構成するドア体２により開閉される開口部（出入り口部）は、本実施の形態では、開口部の戸尻側を構成する戸尻側躯体に相当する固定パネル３が配設される部位とともに大開口部として躯体に開設されており、大開口部の四周は、上方の躯体に固定される上枠材４、下方の床部に固定される下枠材５、左右側方の躯体に固定される左、右枠材６、７とにより囲繞されている。
【０００９】
前記上枠材４は左右方向長尺体に構成されており、ドア体２と、ドア体２の屋外側に積層する固定パネル３との上端部に対向する屋内外方向幅を有し、躯体側に固定される上片部４ａと、上片部４ａの屋外側端部から下方に向けて延出する屋外側片部４ｂとにより略Ｌ字形に形成されており、屋外側片部４ｂの下端部には、固定パネル３の上端部が嵌め込み固定される固定パネル用枠部４ｃが形成されている。さらに、上片部４ａの屋内側端部には吊持片部４ｄおよび支持片部４ｅが隣接して形成されている。
また、左、右枠材６、７はそれぞれ上下方向長尺体に構成されており、上枠材４と同様の屋内外方向幅を有した平板状部６ａ、７ａが形成されており、これら平板状部６ａ、７ａの屋内外方向両端部には、躯体側に固定される一対の躯体固定片部６ｂ、７ｂがそれぞれ左右方向外方に向けて突出形成されている。
さらに、下枠材５は左右方向長尺体に構成されており、ドア体２のドア厚に対向する屋内外方向幅を有し、屋内外方向中間部に下方に向けて凹状の凹溝部５ａが長手方向に沿って形成されている。そして、下枠材５は、大開口部を構成する下方側の躯体である床部に凹設された左右方向長尺状の凹溝部Ｆに埋設されている。
【００１０】
前記固定パネル３は、ガラス材３ａと、ガラス材３ａの下端部および左、右端部の三方に一体化される框材３ｂとを備えて構成されている。そして、固定パネル３は、下側の框材３ｂを床部の凹溝部Ｆの屋外側に挿入して、凹溝部Ｆに埋設される下枠材５の屋外側に隣接して配設するとともに、固定パネル３の左側の框材（戸尻側端部）３ｂを左枠材６の平板部６ａの屋外側に突当て、固定パネル３の上端となるガラス材３ａの上端部を上枠材４の固定パネル用枠部４ｃに嵌め込むことにより固定さている。これによって、固定パネル３は、大開口部の戸尻側に一体的に固定され、開口部に隣接する戸尻側躯体となっている。
ここで、床部に形成される凹溝部Ｆは、大開口部における戸尻側半部については下枠材５と固定パネル３の下側の框材３ｂが挿入可能な幅広状の溝幅に形成されているが、戸先側半部（開口部側）については下枠材５のみが嵌入可能な幅狭状の溝幅に形成されている。
【００１１】
一方、ドア体２は固定パネル３と略同様の外形状を有し、ガラス材２ａの四周を框材２ｂで囲繞することにより構成されている。そして、上側の框材２ｂには左右方向に複数の走行用ブラケット２ｃが設けられており、これら走行用ブラケット２ｃに設けられる走行ローラ（図示せず）を、上枠材４に設けたレール（図示せず）に移動自在に吊持することにより、ドア体２が固定パネル３の屋内外方向一方（屋内側）に積層する状態で配設されている。さらに、前記走行用ブラケット２ｃは、上枠材４に設けられる図示しない駆動ユニットに連動連結されている。また、ドア体２の下側の框材２ｂには、下方に向けて突出する振れ止め体２ｄが設けられており、該振れ止め体２ｄの下端部が下枠材５の凹溝部５ａに移動自在に嵌入されている。そして、開口部に近付いた通行者を検知することに伴い、駆動ユニットが所定の制御構成に基づいて開閉駆動することにより、走行ブラケット２ｃが強制的に開閉方向に移動せしめられ、これによって、ドア体２は振れ止めされた状態で走行レールに沿って移動して、開口部を開放する開放姿勢と、開口部を閉鎖する全閉姿勢とに変姿するように構成されている。
【００１２】
そして、本実施の形態の引き戸式ドア装置１には、固定パネル３の屋内外方向一方である屋内側に、固定パネル３とともにドア体２の戸袋を構成する防護パネル８が設けられている。
前記防護パネル８は固定パネル３と略同様の外形状を有しており、ガラス材８ａの四周を、戸尻側框材８ｂ、戸先側框材８ｃ、上、下側框材８ｄとで囲繞することにより構成されている。そして、防護パネル８は、躯体に固定される左枠材６の上下端部に設けられる上下一対の支持ブラケット９を介して左枠材６に連結されている。これら支持ブラケット９は、それぞれ左枠材６の平板部６ａ上下端部における屋内側に偏倚して固定され、屋内側に向けて突出するベース片９ａと、これらベース片９ａの前記屋内側への突出部における上下方向外端部から右方（左右方向内方）に向けて突出する支持片９ｂとを備えて構成されている。そして、上下の支持片９ｂには、それぞれ近接する方向（上下方向内方）に向けて突出するピボット軸９ｃが設けられており、これらピボット軸９ｃを、防護パネル８を構成する戸尻側框材８ｂの上下の各端部に設けたピボット受け部８ｅに相対回転自在に没入させることにより、防護パネル８は、ピボット軸９ｃを揺動支軸として屋内外方向に揺動するように組込まれている。これによって、防護パネル８は開き戸式となって、図３に示すように、固定パネル３に対して平行となる位置関係で対向し、固定パネル３とともにドア体２の戸袋を構成する戸袋姿勢（実線）と、戸先側が屋内側に揺動して戸袋を開放する開放姿勢（仮想線）とに揺動変姿するように構成されている。
【００１３】
また、防護パネル８の上方には、上枠材４を屋内外方向一方（屋内側）から覆い、かつ、防護パネル８の直上部を覆うカバー体１０が設けられている。前記カバー体１０は、上枠材４と同様の左右方向長さを有し、上枠材４の全長を覆う長尺体に形成されている。さらに、本実施の形態のカバー体１０は、主、副カバー部材１１、１２を用いる分割型となっており、これらカバー部材１１、１２を一体的に組込むことにより構成されている。
前記主カバー部材１１は、上枠材４の屋外側片部４ｂと略同様の上下方向長さを有し、上枠材４を屋内側から覆うように設けられる第一垂直片部１１ａと、該第一垂直片部１１ａとのあいだに防護パネル８のパネル厚と略同様の間隔を存して第一垂直片部１１ａに対向する屋内側垂直片部１１ｂとを備えて構成されている。前記第一垂直片部１１ａの上端部には、上枠材４の吊持片部４ｄ、支持片部４ｅに吊持保持される吊持受け片部１１ｃ、支持受け片部１１ｄとがそれぞれ形成されている。また、前記屋内側垂直片部１１ｂの下端部は、第一垂直片部１１ａの下端縁よりも上位に位置するように形成されている。これら第一垂直片部１１ａと屋内側垂直片部１１ｂとは、上端部および上下方向中間部の対向間に設けられる一対の上、下側連結片部１１ｅ、１１ｆにより連結される状態で一体形成されている。
そして、第一垂直片部１１ａの下側連結片部１１ｆ形成部位には、屋内側垂直片部１１ｂ側に向けて延出（突出）する第一水平片部１１ｇが形成され、屋内側垂直片部１１ｂの下端部には、第一水平片部１１ｇと上下方向同位置となる第二水平片部１１ｈが第一垂直片部１１ａ側に向けて延出形成されており、これら第一、第二水平片部１１ｇ、１１ｈの延出端部同士のあいだには、水平方向の隙間Ｓが主カバー部材１１の左右方向全長にわたって形成されている。
さらに、第一垂直片部１１ａには、第一水平片部１１ｄの下方に位置して主係止片部１１ｉが屋内側垂直片部１１ｂに向けて突出形成されている。
【００１４】
一方、副カバー部材１２は主カバー部材１１の屋内側垂直片部１１ｂの下方に連続して第一垂直片部１１ａの下方部位を屋内側から覆うように設けられる屋内側垂直片部１２ａと、屋内側垂直片部１２ａの上端部から屋外側に向けて延出する連結片部１２ｂとを備えて略Ｌ字形に構成されている。そして、屋内側垂直片部１２ａの上下方向中間部には副係止片部１２ｃが屋外側に向けて突出形成されており、連結片部１２ｂの屋内外方向二箇所には下方に向けて突片１２ｄが突出形成されている。
【００１５】
このように構成された主、副カバー部材１１、１２の上枠材４への組込みは、まず、主カバー部材１１の吊持受け片部１１ｃを上枠材４の吊持片部４ｄに吊持保持させる一方、支持受け片部１１ｄを支持片部４ｅに係止支持させることにより、主カバー部材１１を上枠材４の屋内側に吊持状に支持させる。続いて、主カバー部材１１の下方部位に対して副カバー部材１２を対向させ、主カバー部材１１の第一、第二水平片部１１ｇ、１１ｈの下面に連結片部１２ｂを沿わせ、連結片部１２ｂの延出端部を第一水平片部１１ｇと該第一水平片部１１ｇの下方に形成された受け片１１ｍとのあいだに挿し込み、先端を第一垂直片部１１ａに突当てた状態とする。そして、この状態において、主カバー部材１１の下側連結片部１１ｆと副カバー部材１２の連結片部１２ｂとを螺着することにより、副カバー部材１２が主カバー部材１１に一体化され、このようにして、主、副カバー部材１１、１２とにより構成されるカバー体１０が躯体側部材である上枠材４に組込まれている。
そして、このように組込まれたカバー体１０において、主カバー部材１１の屋内側垂直片部１１ｂと副カバー部材１２の屋内側垂直片部１２ａとは、防護パネル８の屋内側面（屋内外方向一方側の面）とほぼ面一状となって本発明の第一垂直片部を構成しており、該第一垂直片部が、上枠材４の屋内側（屋内外方向一方）を所定間隙を存して覆っている。また、主カバー部材１１の第一垂直片部１１ａの下方に形成される主係止片部１１ｉと副カバー部材１２の副係止片部１２ｃとが上下方向同位置において、屋内外方向に間隙を存した状態で対向するように構成されている。
図中、４ｆ、１０ａはそれぞれ上枠材４、カバー体１０の左右両端部を覆蓋する側部カバーである。
【００１６】
そして、防護パネル８と躯体側部材とのあいだには、防護パネル８を戸袋姿勢にロックするロック手段としてフランス落しが、上下方向二箇所において設けられている。
つまり、防護パネル８の戸先側框材８ｃの上下端部には、フランス落しを構成する上下一対の本体側部材１３、１４が組込まれている。前記上下一対の本体側部材１３、１４は、それぞれ操作摘み１３ａ、１４ａ、および、ロックピン１３ｂ、１４ｂ等の部材を備えて構成されている。尚、本実施の形態で用いられる上、下本体側部材１３、１４は汎用のものが用いられており、ここでの詳細な説明は省略するが、上側操作摘み１３ａを操作することに伴い、上側ロックピン１３ｂが戸先側框材８ｃに没入するロック解除姿勢と戸先側框材８ｃの上端面から上方に突出するロック姿勢とに変姿し、下側操作摘み１４ａを操作することに伴い、下側ロックピン１４ｂが戸先側框材８ｃに没入するロック解除姿勢と戸先側框材８ｃの下端面から下方に突出するロック姿勢とに変姿するように構成されている。
【００１７】
また、上下二箇所のフランス落しの各ロックピン１３ｂ、１４ｂがロック姿勢とロック解除姿勢とに変姿することに伴い係脱し、各フランス落しをそれぞれロック状態とロック解除状態とに変姿せしめる上下のピン受け体１５、１６において、上側ピン受け体１５は躯体に固定されている上枠材４に吊持支持されて躯体側部材となっているカバー体１０に設けられ、下側ピン受け体１６は躯体に固定されている下枠材５に設けられるように構成されている。
【００１８】
前記上側ピン受け体１５は、図４（Ａ）、５（Ａ）に示すように、長尺状の板材を折曲して構成されており、ロックピン１３ｂが挿抜自在に貫通するピン受け孔１５ａが開設された本体プレート片１５ｂと、本体プレート片１５ｂの左右両端部から上方に向けて突出する左右一対の脚片１５ｃと、これら脚片１５ｃの上端部から左右方向外方に突出し、螺子止め用貫通孔１５ｄが開設された一対の取付け片１５ｅとが形成されている。
一方、カバー体１０の戸袋姿勢における防護パネル８のロックピン１３ｂ（戸先側）に対向する部位において、上側ピン受け体１５が設けられる部位となる副カバー部材１２は、連結片部１２ｂの突片１２ｄ同士のあいだを切欠くことにより左右方向に長い貫通孔Ｈが開設されている。そして、貫通孔Ｈを介し、連結片部１２ｂの上面に積層する主カバー部材１１の第一、第二水平片部１１ｇ、１１ｈ、および、これらの対向間に形成される隙間Ｓが下側から目視できるように構成されている。
【００１９】
そして、上側ピン受け体１５は、取付け片１５ｅが貫通孔Ｈに挿入されて主カバー部材１１の第一、第二水平片部１１ｇ、１１ｈの下面に突当てられるように組込まれている。このとき、貫通孔Ｈの左右方向長さは上側ピン受け体１５の左右方向長さよりも長く形成されており、貫通孔Ｈ内において左右方向の位置調整ができるように構成されている。さらに、上側ピン受け体１５の屋内外方向幅は貫通孔Ｈの屋内外方向幅（連結片部１２ｂの突片１２ｄ同士の対向間隔）と略同様に形成されている。また、取付け片１５ｅに形成される螺子止め用貫通孔１５ｄは、第一、第二水平片部１１ｇ、１１ｈのあいだに形成される隙間Ｓに対向する位置に形成されている。
【００２０】
１７は上側ピン受け体１５をカバー体１０に固定するための固定プレートであって、上側ピン受け体１５の左右方向長さおよび屋内外方向幅と略同様の左右長さおよび屋内外方向幅を有したプレート体で構成されており、左右両端部には取付け片１５ｅに開設された螺子止め用貫通孔１５ｄに連通する一対の螺子孔１７ａが刻設されている。そして、固定プレート１７は、第一、第二水平片部１１ｇ、１１ｈの上面に上側ピン受け体１５の取付け片１５ｅ突当て部に対向して組込まれ、この状態において、上側ピン受け体１５の螺子止め用貫通孔１５ｄを、固定プレート１７の螺子孔１７ａに対し隙間Ｓを介して目視した状態で位置合わせし、螺子止め用貫通孔１５ｄから挿通した螺子１７ｂの先端を螺子孔１７ａに螺合することにより、取付け片１５ｅと固定プレート１７とが第一、第二水平片部１１ｇ、１１ｈを挟み込む状態で第一、第二水平片部１１ｇ、１１ｈに一体化（挟持固定）されて、上側ピン受け体１５のカバー体１０への固定がなされている。これによって、上側ピン受け体１５を固定する螺子１７ｂをカバー体１０を構成する部材に直接螺着させることなく上側ピン受け体１５がカバー体１０に固定され、もって、上側ピン受け体１５の取付け位置の調整を容易に行なうことができて、精度よくカバー体１０に固定することができるように構成されている。
【００２１】
ところで、主レール部材１１は上枠材４と同様に大開口部の左右方向全域に設けられており、しかも、上、下側連結片部１１ｅ、１１ｆが形成されて筒状に形成されている。このため、固定プレート１７を筒内となる第一、第二水平片部１１ｇ、１１ｈ上の左右方向中間部（戸袋姿勢の防護パネル８の戸先側対向部位）に組込んで、しかも、上側ピン受け体１５の螺子止め用貫通孔１５ｄと螺子孔１７ａとを位置合わせする作業が難しいが、本実施の形態では、第一、第二水平片部１１ｇ、１１ｈの対向間の隙間Ｓにおいて固定プレート１７を移動させることにより、固定プレート１７を容易に所望の位置に組込むことができ、また、隙間Ｓを介して螺子孔１７ａが臨まれるので、螺子孔１７ａと螺子止め用貫通孔１５ｄとの位置合わせも容易に行なうことができるように構成されている。
また、固定プレート１７は第一、第二水平片部１１ｇ、１１ｈから上方に向けて形成される第一、第二保持片１１ｊ、１１ｋにより屋内外方向への移動規制を受けて水平方向への回り止めがなされており、これによって、取付け片１５ｅ側から螺入された螺子１７ｂの緊締作業ができるように構成されている。
【００２２】
前記上側ピン受け体１５の取付け状態において、上側ピン受け体１５の本体プレート片１５ｂの下面は、カバー体１０の第一垂直片部（屋内側垂直片部１１ｂ、１２ａ）の下端部と略同位置となって、カバー体１０により上側ピン受け体１５全体が略覆蓋され、かつ、本体プレート片１５ｂが防護パネル８の戸先側框材８ｃ上端面に近接対向する状態となっている。そして、上側ピン受け体１５は、上側フランス落しのロックピン１３ｂがロック姿勢に変姿した場合に、ロックピン１３ｂの上端部がピン受け孔１５ａに挿入係止（フランス落しをロック状態）されて防護パネル８を戸袋姿勢に保持（ロック）し、ロックピン１３ｂがロック解除姿勢に変姿した場合に、ロックピン１３ｂがピン受け孔１５ａから抜出して（フランス落しのロック解除状態）防護パネル８を開放姿勢に変姿可能な状態とするように構成されている。
尚、１５ｆはピン受け孔１５ａに設けられ、ロックピン１３ｂの挿抜作動を円滑にする樹脂製のピン受け体である。
【００２３】
一方、下側フランス落しの下側ピン受け体１６は、図４（Ｂ）、５（Ｂ）に示すように、平板状のプレート体を折曲して、ロックピン１４ｂが挿抜自在に貫通するピン受け孔１６ａが開設された平板状の本体プレート１６ｂと、本体プレート１６ｂの屋内側端部および左右端部から下方に折曲された折曲片１６ｃ、本体プレート１６ｂの屋外側端部から屋外側に突出する固定片１６ｄとが形成されたものに構成されている。そして、下側ピン受け体１６は、屋外側端部となる基端側の固定片１６ｄを、下枠材５に形成される凹溝部５ａの屋内側溝側片５ｂの上面に積層し、螺子１６ｅを用いて固定片１６ｄを屋内側溝側片５ｂに螺着することにより、屋内側（先端側）の本体プレート１６ｂが防護パネル８の直下に位置する状態で下枠材５への固定がなされている。
【００２４】
前記下側ピン受け体１６の取付け状態において、本体プレート１６ｂの屋内側端部に形成された折曲片１６ｃは、防護パネル８の下框材８ｄを越えて屋外側に突出することがなく、下側ピン受け体１６が邪魔になることがないように構成されている。さらに、下側ピン受け体１６の折曲片１６ｃの下端縁が床面に当接しており、これによって、本体プレート片１５ｂは床面との間に所定間隙が形成される一方、本体プレート片１５ｂの上面は防護パネル８の戸先側框材８ｃ下端面に近接対向する状態となっている。そして、下側ピン受け体１６は、下側フランス落しのロックピン１４ｂがロック姿勢に変姿した場合に、ロックピン１４ｂの上端部がピン受け孔１６ａに挿入係止（フランス落しをロック状態）されて防護パネル８を戸袋姿勢に保持（ロック）し、ロックピン１４ｂがロック解除姿勢に変姿した場合に、ロックピン１４ｂがピン受け孔１６ａから抜出して（フランス落しのロック解除状態）防護パネル８を開放姿勢に変姿可能な状態とするように構成されている。
【００２５】
叙述の如く構成された本形態において、引き戸式ドア装置１は、躯体に設けられる開口部を戸尻側躯体としての固定パネル３に沿って開閉する引き戸式のドア体２と、開口部上方の躯体に固定され、ドア体２の上端部を移動自在に吊持するレールが設けられる上枠材４と、開口部下方の躯体である床部に固定され、ドア体２の下端部を振れ止め状に支持する下枠材５とを備えて構成されており、固定パネル３の屋内外方向一方（屋内側）には、固定パネル３とともにドア体２の戸袋を構成する防護パネル８が設けられて、フランス落しのロック状態で戸袋姿勢に保持され、ロック解除状態で戸袋を開放する開放姿勢に変姿するよう構成されている。そして、この場合に、防護パネル８は上下一対のフランス落しでロックされるとともに、防護パネル８の上方には上枠材４の屋内外方向一方を所定間隙を存して覆うカバー体１０が設けられており、防護パネル８の上端部に設けられる上側フランス落しの上側ロックピン１３ｂを係脱する上側ピン受け体１５はカバー体１０を構成する主カバー部材１１の第一、第二水平片部１１ｇ、１１ｈに設けられ、防護パネル８の下端部に設けられる下側フランス落しのロックピン１４ｂを係脱する下側ピン受け体１６は下枠材５に設けられている。これによって、防護パネル８の上方にカバー体１０が設けられて意匠性に優れるばかりでなく、上下二箇所のフランス落しが防護パネル８の戸袋姿勢を確実に保持するが、このとき、下側ピン受け体１６は下枠材５に設けられているので従来のように床面に凹部を形成する躯体工事が不要になるうえ、ゴミ溜りの不具合をなくすことができる。そのうえ、上側フランス落しのロックピン１３ｂを係脱する上側ピン受け体１５についても、躯体側部材として上枠材４に吊持支持されるカバー体１０に設ける構成としたので、上下一対のフランス落しにより防護パネル８を戸袋姿勢にロックするものでありながら、ロックピン１３ｂ、１４ｂが係脱する上、下側ピン受け体１５、１６を、ドア体２を設けるために必要な上、下枠材４、５に取付けて、開口部を構成する壁体や床部の工事を不要にすることができる。この結果、既設の引き戸式ドア装置１に対し防護パネル８を後付けするような場合に、後付け工事の簡略化を図ることができて、作業性の改善を図れる。
【００２６】
さらに、本発明が実施されたものにあっては、防護パネル８の上方に配されるカバー体１０は、上枠材４に支持される第一垂直片部１１ａと、防護パネル８の屋外側面と面一状となる第二垂直片部（主屋内側片部１１ｂ、副屋内側片部１２ａとを備え、第一、第二垂直片部１１ａ、１１ｂ、１２ａの上下方向中間部には、互いに近接する方向に延出し、あいだに隙間Ｓが形成される第一、第二水平片部１１ｇ、１１ｈが形成されている。そして、上側ピン受け体１５は、第一、第二水平片部１１ｇ、１１ｈの下面に当てがわれる取付け片１５ｅを備えて構成され、取付け片１５ｅを、第一、第二水平片部１１ｇ、１１ｈの上面にあてがわれる固定プレート１７に対し、第一、第二水平片部１１ｇ、１１ｈとのあいだの隙間Ｓにおいて、各孔１５ｄ、１７ａを目視した状態で位置合わせして螺着することにより、第一、第二水平片部１１ｇ、１１ｈを挟持する状態となってカバー体１０に固定されるので、上側ピン受け体１５の位置調整が容易であるうえ、固定用の螺子１７ｂをカバー体１０に直接螺着することがないので、上側ピン受け体１５の取付け位置の変更があっても容易に対応することができる。
【００２７】
さらに、防護パネル８の下方に配される下側ピン受け体１６は、基端部が下枠材５に固定され先端部が防護パネル８側に突出し、ロックピン１４ｂが挿抜自在に貫通する貫通孔１６ａが開設されたプレート体としたので、構成が簡略であるばかりでなく、下枠材５への取付け作業も容易で作業性の改善を図ることができる。
【００２８】
また、本実施の形態の防護パネル８は開き戸式となっているが、上下のフランス落しにより戸袋姿勢にロックする構成となっているので、戸袋姿勢において上端部がガタつくような不具合がな、安定した戸袋姿勢を保持できる。
【００２９】
尚、本発明は前記第一の実施の形態に限定されないことは勿論であって、防護パネルは、前述したように、既設の引き戸式ドア装置に対して設置することが可能である。この場合に、既設された引き戸式ドア装置の上枠材４には、屋外側片部４ｂに対向する平板状のカバー体（図示せず）が、上片部４ａの屋内側端部に形成された吊持片部４ｄおよび支持片部４ｅに吊持支持される状態で設けられている。そして、前記既設の引き戸式ドア装置に防護パネル８を後付けして設ける場合では、平板状のカバー体を上枠材４から取外し、主、副カバー部材１１、１２を、第一の実施の形態のような手順で上枠材４に組込むことによりカバー体１０が上枠材に吊持支持され、この状態において、カバー体１０に上側フランス落しの上側ピン受け体１５を設ける一方、下枠材５に下側フランス落しの下側ピン受け体１６を設けることにより、躯体工事をすることなく防護パネル８をフランス落しにより安定した戸袋姿勢にロックすることができる。
【００３０】
また、本実施の形態のカバー体１０は、主、副カバー部材１１、１２により構成されていて、防護パネル（図示せず）を引き戸式として、防護パネルが開口部の戸先側にスライド移動することで戸袋を開放する開放姿勢となるような構成にも対応することができる。つまり、主、副カバー部材１１、１２からなるカバー体１０において、主、副係止片部１１ｉ、１２ｃを防護パネルに設けた走行体が走行する走行レールとして用いることができる。この場合に、カバー体１０と防護パネルとを上枠材４に組込む場合に、予め主カバー部材１１を上枠材４に組込んだ後、防護パネルを、主カバー部材１１と副カバー部材１２とにより挟み込むように組込むことにより、作業性のよい取付け作業ができるように構成されている。そして、このものでも、上下一対のフランス落し設けて、上、下側ピン受け体をカバー体１０および下枠材５に設けることで躯体工事を不要にできる。
【００３１】
つぎに、図６、７に示す第二の実施の形態について説明する。
第二の実施の形態は、前記第一の実施の形態と同様に開き戸式の防護パネル８が設けられる構成であり、カバー体１８以外の構成は前記第一の実施の形態と同様であり、第一の実施の形態と同様の符号を付すことによりここでの説明は省略する。
前記カバー体１８は一体型となっており、第一、第二垂直片部１８ａ、１８ｂと、第一垂直片部１８ａの上端部に設けられ、上枠材４の吊持片部４ｄおよび支持片部４ｅに吊持保持するための吊持受け片部１８ｃおよび支持受け片部１８ｄと、これら第一、第二垂直片部１８ａ、１８ｂを互いに連結する上下の連結片部１８ｅ、１８ｆ、上方に突出状に形成される下側連結片部１８ｆから分岐して互いに近接する方向に突出し、あいだに水平方向の隙間Ｓが形成される第一、第二水平片部１８ｇ、１８ｈと、下側連結片部１８ｆの下端部を構成する第一、第二保持片部１８ｉ、１８ｊと、第一、第二水平片部１８ｇ、１８ｈから下方に突出する第一、第二突片１８ｋ、１８ｍとを備えて構成されている。そして、上側ピン受け体１５の取付け片１５ｅを、第一、第二突片１８ｋ、１８ｍのあいだにおいて第一、第二水平片部１８ｇ、１８ｈに突当てる一方、第一、第二水平片部１８ｇ、１８ｈ上に固定プレート１７を配した状態とし、取付け片１５ｅの螺子止め用貫通孔１５ｄと固定プレート１７の螺子孔１７ａとを隙間Ｓを介して位置合わせするとともに、上側ピン受け体１５と固定プレート１７とを上側フランス落しのロックピン１３ｂに位置合わせし、これらを螺子１７ｂを用いて螺合することにより、上側ピン受け体１５がカバー体１８に固定されている。
そして、このものでも、上側ピン受け体１５をカバー体１８に設ける場合に、躯体側への工事が不要になるばかりでなく、図７に示すように、固定プレート１７のカバー体１８への組込みが容易で、しかも、直接螺子止めすることなくカバー体１８に固定することができる。尚、１８ｎはカバー体１８の左右両端部に設けられる側部カバーである。
【００３２】
さらに、前記各実施の形態の防護パネルは、ガラス材の四周に框材を組込んだ度ものとなっているが、ガラス材に相当する部位を、絵や文字が描かれた表示板としたり、さらには、表示板を発光装置により照射して高い表示機能を有した表示ユニットとすることもでき、このようにした場合では、防護パネルを表示装置として兼用させることができる。
【産業上の利用可能性】
【００３３】
本発明は、商店や公共施設等の建築物の出入り口部等に設けられる引き戸式ドア装置に利用することができる。
【符号の説明】
【００３４】
１  引き戸式ドア装置
２  ドア体
３  固定パネル
４  上枠材
５  下枠材
８  防護パネル
１０  カバー体
１１  主カバー部材
１１ｇ  第一水平片部
１２  副カバー部材
１３  本体側部材
１３ｂ  ロックピン
１５  上側ピン受け体
１６  下側ピン受け体
１７  固定プレート
【図１】
0005450541.tif 000002
【図２】
0005450541.tif 000003
【図３】
0005450541.tif 000004
【図４】
0005450541.tif 000005
【図５】
0005450541.tif 000006
【図６】
0005450541.tif 000007
【図７】
0005450541.tif 000008